(57)【要約】  原子間力顕微鏡（ＡＦＭ）（１）はＳＰＭの一種であり、探針−試料間の相互作用量として共振周波数シフトを検出する。ＡＦＭ（１）は、相互作用量を一定に保つように探針−試料距離のフィードバック制御を行いながら、距離変調制御を行う。距離変調制御は、探針−試料距離を、フィードバック制御の応答速度より速い距離変調周波数にて変動させる。更にＡＦＭ（１）は、探針と試料の相対的な走査を行いながら距離変調制御により探針−試料距離が変動する間に検出される相互作用量を取得し、走査範囲内の広さと探針−試料距離の変動範囲内の厚みを有する３次元空間における相互作用量の分布を検出する。これにより、安定した探針位置制御を行いながら、３次元空間における探針試料間の相互作用の分布を好適に計測できる走査型プローブ顕微鏡（ＳＰＭ）が提供される。
2010087114.tif 000002
【特許請求の範囲】
【請求項１】
探針と、
前記探針と試料との相対的な走査を行うスキャナと、
前記探針の変位を検出する変位センサと、
前記変位センサにより検出された信号に基づいて、前記探針と前記試料の相互作用により生じ前記相互作用の大きさを表す相互作用量を検出する相互作用検出部と、
前記相互作用検出部により検出される前記相互作用量を一定に保つように、前記探針と前記試料の間の距離である探針−試料距離のフィードバック制御を行うフィードバック制御部と、
前記探針−試料距離を、前記フィードバック制御の応答速度より速い距離変調周波数にて変動させる距離変調制御を行う距離変調制御部と、
前記探針と前記試料の相対的な走査を行いながら前記距離変調制御により前記探針−試料距離が変動する間に検出される前記相互作用量から、走査範囲内の広さと前記探針−試料距離の変動範囲内の厚みを有する３次元空間における前記相互作用量の分布を検出する３次元分布検出部と、
を有することを特徴とする走査型プローブ顕微鏡。
【請求項２】
前記距離変調制御部は、時間軸に対する前記探針−試料距離を正弦波に沿って変動させることを特徴とする請求項１に記載の走査型プローブ顕微鏡。
【請求項３】
前記フィードバック制御部は、前記スキャナを駆動するための駆動信号を生成し、
前記距離変調制御部は、前記距離変調周波数を有する距離変調信号を生成し、
前記距離変調信号が前記駆動信号に加算されることを特徴とする請求項１に記載の走査型プローブ顕微鏡。
【請求項４】
前記３次元分布検出部が、前記距離変調制御により前記探針が前記試料に近づくときの前記相互作用量の分布と、前記距離変調制御により前記探針が前記試料から遠ざかるときの前記相互作用量の分布とを別々に取得することを特徴とする請求項１に記載の走査型プローブ顕微鏡。
【請求項５】
前記走査型プローブ顕微鏡は原子間力顕微鏡であり、前記探針を含むカンチレバーを有することを特徴とする請求項１に記載の走査型プローブ顕微鏡。
【請求項６】
前記原子間力顕微鏡は、周波数変調型の原子間力顕微鏡であり、前記相互作用検出部は、前記カンチレバーの共振周波数シフトを前記相互作用量として検出することを特徴とする請求項５に記載の走査型プローブ顕微鏡。
【請求項７】
前記距離変調制御による前記探針−試料距離の前記変動範囲内に定められており前記探針−試料距離が増大する所定のドリフト監視位置にて検出される前記相互作用量を、前記相互作用量のドリフトの指標として監視するドリフト監視部と、
前記ドリフト監視部により監視される前記ドリフト監視位置での前記相互作用量に基づいて、前記相互作用量のドリフトをキャンセルするドリフトキャンセル部と、
を有することを特徴とする請求項１に記載の走査型プローブ顕微鏡。
【請求項８】
前記３次元分布検出部により得られる前記３次元空間における前記相互作用量の分布のデータを処理する分布データ処理部を有し、
前記分布データ処理部は、前記探針−試料距離が一定である面上での前記相互作用量の分布を求めることを特徴とする請求項１に記載の走査型プローブ顕微鏡。
【請求項９】
前記３次元分布検出部により得られる前記３次元空間における前記相互作用量の分布のデータを処理する分布データ処理部を有し、
前記分布データ処理部は、前記探針−試料距離が異なる複数の面の各々における前記相互作用量の複数の代表値を求めて、前記探針を試料に近づけたときの前記代表値の変化を求めることを特徴とする請求項１に記載の走査型プローブ顕微鏡。
【請求項１０】
前記３次元分布検出部により得られる前記３次元空間における前記相互作用量の分布のデータを処理する分布データ処理部を有し、
前記分布データ処理部は、前記試料表面に交差する面で前記３次元空間を切断したときの切断面上での前記相互作用量の分布を求めることを特徴とする請求項１に記載の走査型プローブ顕微鏡。
【請求項１１】
前記３次元分布検出部により得られる前記３次元空間における前記相互作用量の分布のデータを処理する分布データ処理部を有し、
前記分布データ処理部は、前記試料上の異なる複数の位置で、前記試料の表面に交差する線に沿った前記相互作用量の変化を求めることを特徴とする請求項１に記載の走査型プローブ顕微鏡。
【請求項１２】
走査型プローブ顕微鏡のための観察方法であって、
探針と試料を近づけて、前記探針と前記試料との相対的な走査を行い、
前記探針の変位を検出し、
検出された信号に基づいて、前記探針と前記試料の相互作用により生じ前記相互作用の大きさを表す相互作用量を検出し、
前記相互作用量を一定に保つように、前記探針と前記試料の間の距離である探針−試料距離のフィードバック制御を行い、
前記探針−試料距離を、前記フィードバック制御の応答速度より速い距離変調周波数にて変動させる距離変調制御を行い、
前記探針と前記試料の相対的な走査を行いながら前記距離変調制御により前記探針−試料距離が変動する間に検出される前記相互作用量から、走査範囲内の広さと前記探針−試料距離の変動範囲内の厚みを有する３次元空間における前記相互作用量の分布を検出することを特徴とする、
走査型プローブ顕微鏡のための観察方法。
【請求項１３】
走査型プローブ顕微鏡のための観察プログラムであって、
コンピュータに、
探針と試料を近づけて、前記探針と前記試料との相対的な走査を行う処理と、
前記探針の変位を検出する処理と、
検出された信号に基づいて、前記探針と前記試料の相互作用により生じ前記相互作用の大きさを表す相互作用量を検出する処理と、
前記相互作用量を一定に保つように、前記探針と前記試料の間の距離である探針−試料距離のフィードバック制御を行う処理と、
前記探針−試料距離を、前記フィードバック制御の応答速度より速い距離変調周波数にて変動させる距離変調制御を行う処理と、
前記探針と前記試料の相対的な走査を行いながら前記距離変調制御により前記探針−試料距離が変動する間に検出される前記相互作用量から、走査範囲内の広さと前記探針−試料距離の変動範囲内の厚みを有する３次元空間における前記相互作用量の分布を検出する処理と、
を実行させることを特徴とする、
走査型プローブ顕微鏡のための観察プログラム。
【発明の詳細な説明】
【技術分野】
【０００１】
本発明は、走査型プローブ顕微鏡に関し、特に、３次元空間における探針と試料の相互作用の分布の計測を可能にする技術に関する。
【背景技術】
【０００２】
走査型プローブ顕微鏡（ＳＰＭ）は、鋭くとがった探針（プローブ）を試料に対して近づけて、探針と試料の間に働く相互作用（トンネル電流や相互作用力など）を検出し、相互作用を一定に保つように探針と試料の間の距離をフィードバック制御する（以下、探針と試料の間の距離を探針−試料距離という）。さらに、ＳＰＭは、フィードバック制御を維持しながら、探針（または試料）を水平方向に走査する。これにより、探針（または試料）は、試料の凹凸をなぞるように上下する。そして、フィードバック走査の軌跡を水平位置に対して記録することにより、試料表面の凹凸像を得ることができる。【０００３】
走査型トンネル顕微鏡（ＳＴＭ）は、ＳＰＭ技術の一つである。図１に示されるように、ＳＴＭでは、探針−試料間の相互作用がトンネル電流である。ＳＴＭは、探針と試料間にバイアス電圧をかけて、探針−試料間に流れるトンネル電流を検出し、トンネル電流を一定に保つように探針の垂直位置を制御する。【０００４】
図２は、探針位置とトンネル電流の関係を示している。図示のように、探針−試料間に流れるトンネル電流は、探針−試料距離の減少に対して単調に指数関数的に増加する。したがって、トンネル電流を一定に保つように試料に対する探針の垂直位置を制御することにより、探針−試料間隔を一定に保つことができる。【０００５】
次に、原子間力顕微鏡（ＡＦＭ）について説明する。ＡＦＭもＳＰＭの一種である。ＡＦＭでは、探針と試料の間に働く相互作用力によって生じる相互作用量を検出する。相互作用量は、カンチレバーの変位量や振動振幅変化量、位相変化量、振動周波数変化量などである。そして、ＡＦＭは、検出される相互作用量を一定に保つように試料に対する探針の垂直位置をフィードバック制御する。ＡＦＭは、鋭くとがった探針を先端に備えたカンチレバー（片持ち梁）を力検出器として用いる。【０００６】
図３は、ＡＦＭにおける探針位置と相互作用力の関係を示しており、フォースカーブと呼ばれる。図３は、大気中及び真空中で測定されるフォースカーブの典型例である。【０００７】
図３に示されるように、通常、大気中及び真空中では、探針を試料に近づけたとき、まずはファンデアワールス力と静電気力に起因して引力的相互作用力が働く。さらに探針が試料に近づくと、化学的相互作用力に起因して強い斥力が働き、斥力が引力を上回る。したがって、相互作用力は、探針−試料距離に対して単調には変化しない。【０００８】
ＳＴＭとＡＦＭを比べると、ＳＴＭでは図２に示したようにトンネル電流が探針−試料距離に対して単調に変化する。一方、ＡＦＭでは、図３に示したように、相互作用力が探針−試料距離に対して単調には変化しない。そのため、相互作用力によって生じる相互作用量も探針−試料距離に対して単調には変化せず、すべての距離範囲で探針位置を安定にフィードバック制御することは難しい。たとえば、引力的相互作用が支配的な距離領域では、探針が試料に近づくにしたがって引力が強くなることを前提に、探針−試料距離が制御される。このような制御下で、探針が試料に近づきすぎて、斥力が支配的な領域に入ったとする。その場合、相互作用力は距離の変化に対して逆向きの応答を示す。そのため、フィードバック制御が安定に行われず、探針が試料に強く衝突してしまう。【０００９】
そこで、通常のＡＦＭ観察では、安定な制御のために、相互作用量が探針−試料距離に対して単調に変化する距離領域からフィードバックの目標点が選択される。このことは、相互作用量が一定の値をとる等相互作用量面の位置情報しか得られず、その他の相互作用量をとる位置の情報は得られないことを意味する。すなわち、フィードバック目標点以外の情報は得られず、たとえば、図３のフォースカーブの最下点及びその付近の情報は得られない。そのため、従来の一般的なＡＦＭ観察では、３次元空間における相互作用力の情報を得るといったこともできない。【００１０】
図３は、大気中及び真空中の例を示している。しかし、上記の問題は、液中でのＡＦＭ観察時により深刻になる。固液界面においては、溶媒分子が層状構造を形成することが頻繁にある。そのため、界面が試料に対して水平な方向だけでなく、垂直な方向にも広がりを持つ。しかしながら、従来のＡＦＭ技術は、相互作用量が一定の値をとる等相互作用量面の位置情報しか得ることができない。そのため、界面（より詳細には、界面及びその近傍を含む界面空間）の構造及び物性を十分に理解することはできない。【００１１】
また、液中観察では、探針の位置制御も容易でないことがある。図４は、水和層などの層状構造が形成された界面におけるフォースカーブの例である。図４は、リン酸緩衝生理食塩水での測定結果であり、探針−試料距離に対する相互作用力の依存性を示している。図４に示されるように、探針が水和層を貫く際に斥力が発生する。また探針が水和層を貫いた後に引力が発生する。このような斥力及び引力などに起因して、フォースカーブが振動的なプロファイルを示す。したがって、一つの相互作用力に対応して、フィードバックに使用可能な複数の探針位置が存在する。安定なフィードバック制御のためには、それら複数の探針位置の一つを制御性よく選択しなければならない。しかし、そのような制御は容易でなく、探針位置の制御性が大きく損なわれてしまう。【００１２】
上記のように、通常のＡＦＭ観察技術では、探針の位置制御の問題があり、そして３次元的な広がりを持つ界面の情報を十分理解できないといった問題があった。これらの問題を解決するために、従来、以下に説明するように、フォースカーブ計測を応用した３次元空間の計測技術が提案されている。【００１３】
図５を参照すると、従来提案されている３次元計測技術は、ＸＹ平面上にアレイ状に配置された多数の測定点でフォースカーブを取得して、３次元空間の相互作用力の分布を測定している。たとえば、図５の左側に示すように、同一のＹ位置に対して、Ｘ位置を少しずつ移動しながら、フォースカーブが測定される。この操作は、ＸＺ平面の相互作用力の分布を反映したＸＹ像を提供できる。さらに、同様の操作が、少しずつＹ位置をずらしながら行われる。これにより、ＸＹＺの３次元の相互作用力分布を計測することができる。【００１４】
しかしながら、このような従来技術では、２つの動作（各点でフォースカーブを取得する動作と、探針のＸＹ位置を移動する動作）を断続的に組み合わせる必要があり、時間がかかるという問題がある。【００１５】
また、探針が試料に最も近づく瞬間及び最も離れる瞬間に、大きな撃力が発生する。そのため、様々な機械部品の振動を誘起してしまうという問題がある。【００１６】
また、フォースカーブの取得時には、表面の凹凸に関係なく、探針が一定のＺ位置から一定距離だけ試料に近づけられる。そのため、探針の凹凸や試料の傾きなどによっては、探針が試料に強く衝突してしまい、大きな損傷を与える可能性がある。【００１７】
上記のような衝突を避けるために、相互作用力が一定の値を超えた瞬間に、探針を試料から引き離すことも考えられる。しかし、そのような引離し制御を組み込むためには、探針移動中に相互作用力を監視し続けなければならない。このような測定中の監視制御は、測定完了後にデータを処理する通常の単純なフォースカーブ測定と比べて複雑である。そのため、測定時間が増大し、その結果、測定中の試料のドリフトの影響が大きくなる。更に、上記の引離し制御は、探針の移動方向が急峻に変わる瞬間に大きな撃力を発生するという問題をも招く。【００１８】
以上のような問題を避けるため、図５の従来の３次元計測技術の適用範囲は相当に制限されてしまう。実際、従来の３次元計測技術は、非常に長時間かけてフォースカーブを測定してもドリフトの影響を無視することのできる超高真空中の極低温環境下でのＡＦＭ観察でのみ利用されてきた。したがって、大気及び液中環境での利用は非常に困難であり、また、室温環境での利用も非常に困難である。【００１９】
上記のフォースカーブを利用する従来の３次元計測技術は、たとえば、非特許文献１に開示されている。【００２０】
なお、上述では、ＡＦＭを取り上げて、本発明の背景技術を説明した。しかし、同様の要求は、他の種類のＳＰＭでも生じ得る。
【先行技術文献】
【非特許文献】
【００２１】
【非特許文献１】H.  Holscher  et  al.  Measurement  of  three-dimensional  force  fields  with  atomic  resolution  using  dynamic  force  spectroscopy,  APPLIED  PHYSICS  LETTERS,  2002  Amercan  Institute  of  Physics,  2  December  2002,  Volume  81,  Number  23,pp.  4428-4430
【発明の概要】
【発明が解決しようとする課題】
【００２２】
本発明は、上記背景の下でなされたものである。本発明の目的は、安定した探針位置制御を行いながら、３次元空間における探針試料間の相互作用の分布を好適に計測できる技術を提供することにある。
【課題を解決するための手段】
【００２３】
本発明の一の態様は、走査型プローブ顕微鏡であり、この走査型プローブ顕微鏡は、探針と、探針と試料との相対的な走査を行うスキャナと、探針の変位を検出する変位センサと、変位センサにより検出された信号に基づいて、探針と試料の相互作用により生じ相互作用の大きさを表す相互作用量を検出する相互作用検出部と、相互作用検出部により検出される相互作用量を一定に保つように、探針と試料の間の距離である探針−試料距離のフィードバック制御を行うフィードバック制御部と、探針−試料距離を、フィードバック制御の応答速度より速い距離変調周波数にて変動させる距離変調制御を行う距離変調制御部と、探針と試料の相対的な走査を行いながら距離変調制御により探針−試料距離が変動する間に検出される相互作用量から、走査範囲内の広さと探針−試料距離の変動範囲内の厚みを有する３次元空間における相互作用量の分布を検出する３次元分布検出部と、を有している。【００２４】
本発明の別の態様は、走査型プローブ顕微鏡のための観察方法であり、この方法は、探針と試料を近づけて、探針と試料との相対的な走査を行い、探針の変位を検出し、検出された信号に基づいて、探針と試料の相互作用により生じ相互作用の大きさを表す相互作用量を検出し、相互作用量を一定に保つように、探針と試料の間の距離である探針−試料距離のフィードバック制御を行い、探針−試料距離を、フィードバック制御の応答速度より速い距離変調周波数にて変動させる距離変調制御を行い、探針と試料の相対的な走査を行いながら距離変調制御により探針−試料距離が変動する間に検出される相互作用量から、走査範囲内の広さと探針−試料距離の変動範囲内の厚みを有する３次元空間における相互作用量の分布を検出する。【００２５】
本発明の別の態様は、走査型プローブ顕微鏡のための観察プログラムであり、このプログラムは、コンピュータに、探針と試料を近づけて、探針と試料との相対的な走査を行う処理と、探針の変位を検出する処理と、検出された信号に基づいて、探針と試料の相互作用により生じ相互作用の大きさを表す相互作用量を検出する処理と、相互作用量を一定に保つように、探針と試料の間の距離である探針−試料距離のフィードバック制御を行う処理と、探針−試料距離を、フィードバック制御の応答速度より速い距離変調周波数にて変動させる距離変調制御を行う処理と、探針と試料の相対的な走査を行いながら距離変調制御により探針−試料距離が変動する間に検出される相互作用量から、走査範囲内の広さと探針−試料距離の変動範囲内の厚みを有する３次元空間における相互作用量の分布を検出する処理と、を実行させる。【００２６】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００２７】
【図１】図１は、走査型トンネル顕微鏡（ＳＴＭ）の原理を示す図である。
【図２】図２は、ＳＴＭにおける探針位置とトンネル電流の関係を示す図である。
【図３】図３は、原子間力顕微鏡（ＡＦＭ）における大気中及び真空中での探針位置と相互作用力の関係を示す図である。
【図４】図４は、ＡＦＭにおける液中での探針位置と相互作用力の関係であって、水和層などの層状構造が形成された界面での測定結果を示す図である。
【図５】図５は、従来技術の相互作用力の３次元計測技術であって、フォースカーブ測定を利用した測定技術を示す図である。
【図６】図６は、本発明による相互作用力の３次元計測技術の原理を示す図である。
【図７】図７は、本発明の実施の形態に係るＡＦＭの構成を示す図である。
【図８】図８は、従来の通常のＡＦＭ観察と、本発明の３次元ＡＦＭ観察（３次元計測）におけるｘｙｚ走査信号の変化を示す図である。
【図９】図９は、本実施の形態による３次元計測における距離変調信号ｚｍと共振周波数シフトΔｆの検出信号の時間変化を示す図である。
【図１０】図１０は、本発明の３次元計測技術を利用するドリフトキャンセル機能を備えたＡＦＭを示す図である。
【図１１】図１１は、本発明のＡＦＭを用いた観察例におけるマイカの結晶構造を示す図である。
【図１２】図１２は、３次元空間の周波数シフトデータをＸＹ平面でスライスすることによって得られる像及びデータを示す図である。
【図１３】図１３は、３次元空間の周波数シフトデータをＸＺ平面でスライスすることによって得られる像を示す図である。
【図１４】図１４は、複数の異なるＸＹ位置でのＺ方向の周波数シフト変化を示す図である。
【発明を実施するための形態】
【００２８】
以下に本発明の詳細な説明を述べる。ただし、以下の詳細な説明と添付の図面は発明を限定するものではない。代わりに、発明の範囲は添付の請求の範囲により規定される。
【００２９】
本発明の走査型プローブ顕微鏡は、探針と、探針と試料との相対的な走査を行うスキャナと、探針の変位を検出する変位センサと、変位センサにより検出された信号に基づいて、探針と試料の相互作用により生じ相互作用の大きさを表す相互作用量を検出する相互作用検出部と、相互作用検出部により検出される相互作用量を一定に保つように、探針と試料の間の距離である探針−試料距離のフィードバック制御を行うフィードバック制御部と、探針−試料距離を、フィードバック制御の応答速度より速い距離変調周波数にて変動させる距離変調制御を行う距離変調制御部と、探針と試料の相対的な走査を行いながら距離変調制御により探針−試料距離が変動する間に検出される相互作用量から、走査範囲内の広さと探針−試料距離の変動範囲内の厚みを有する３次元空間における相互作用量の分布を検出する３次元分布検出部とを有する。
【００３０】
上記のように、本発明によれば、フィードバック制御を行いながら、距離変調制御が行われる。距離変調制御は、探針−試料距離をフィードバック制御の応答速度より速い距離変調周波数にて変動させる制御である。本発明によれば、フィードバック制御により、安定な位置制御が確保される。更に、距離変調制御を行うことにより、上記のように、３次元空間における相互作用量の分布を検出することができる。こうして、安定した探針位置制御を行いながら、３次元空間における探針試料間の相互作用の分布を好適に計測できる。
【００３１】
なお、本発明において、探針位置制御は、探針と試料の相対位置の制御を意味する。したがって、探針位置制御は、探針の移動によって実現されても、試料の移動によって実現されても、両方の移動によって実現されてもよい。
【００３２】
距離変調制御部は、時間軸に対する探針−試料距離を正弦波に沿って変動させてよい。
【００３３】
フィードバック制御部は、スキャナを駆動するための駆動信号を生成してよく、距離変調制御部は、距離変調周波数を有する距離変調信号を生成してよく、距離変調信号が駆動信号に加算されてよい。
【００３４】
３次元分布検出部が、距離変調制御により探針が試料に近づくときの相互作用量の分布と、距離変調制御により探針が試料から遠ざかるときの相互作用量の分布とを別々に取得してよい。
【００３５】
走査型プローブ顕微鏡は原子間力顕微鏡でよく、探針を含むカンチレバーを有してよい。
【００３６】
原子間力顕微鏡は、周波数変調型の原子間力顕微鏡でよく、相互作用検出部は、カンチレバーの共振周波数シフトを相互作用量として検出してよい。
【００３７】
本発明の走査型プローブ顕微鏡は、距離変調制御による探針−試料距離の変動範囲内に定められており探針−試料距離が増大する所定のドリフト監視位置にて検出される相互作用量を、相互作用量のドリフトの指標として監視するドリフト監視部と、ドリフト監視部により監視されるドリフト監視位置での相互作用量に基づいて、相互作用量のドリフトをキャンセルするドリフトキャンセル部とを有してよい。
【００３８】
本発明の走査型プローブ顕微鏡は、３次元分布検出部により得られる３次元空間における相互作用量の分布のデータを処理する分布データ処理部を有してよい。分布データ処理部は、探針−試料距離が一定である面上での相互作用量の分布を求めてよい。分布データ処理部は、探針−試料距離が異なる複数の面の各々における相互作用量の複数の代表値を求めて、探針を試料に近づけたときの代表値の変化を求めてよい。分布データ処理部は、試料表面に交差する面で３次元空間を切断したときの切断面上での相互作用量の分布を求めてよい。分布データ処理部は、試料上の異なる複数の位置で、試料の表面に交差する線に沿った相互作用量の変化を求めてよい。
【００３９】
本発明の別の態様は、走査型プローブ顕微鏡のための観察方法であって、探針と試料を近づけて、探針と試料との相対的な走査を行い、探針の変位を検出し、検出された信号に基づいて、探針と試料の相互作用により生じ相互作用の大きさを表す相互作用量を検出し、相互作用量を一定に保つように、探針と試料の間の距離である探針−試料距離のフィードバック制御を行い、探針−試料距離を、フィードバック制御の応答速度より速い距離変調周波数にて変動させる距離変調制御を行い、探針と試料の相対的な走査を行いながら距離変調制御により探針−試料距離が変動する間に検出される相互作用量から、走査範囲内の広さと探針−試料距離の変動範囲内の厚みを有する３次元空間における相互作用量の分布を検出する。この態様にも、上述の各種の構成が適用されてよい。
【００４０】
上記のように、本発明は、フィードバック制御を行いながら、距離変調制御を行う。これにより、安定した探針位置制御を行いながら、３次元空間における探針試料間の相互作用の分布を好適に計測できる。
【００４１】
以下、本発明の実施の形態について、図面を用いて説明する。本実施の形態では、本発明が原子間力顕微鏡（ＡＦＭ）に適用される。しかし、本発明はＡＦＭに限定されない。本発明は、ＡＦＭ以外の走査型プローブ顕微鏡（ＳＰＭ）に適用されてよい。たとえば、本発明は走査型トンネル顕微鏡（ＳＴＭ）に適用されてよい。また、たとえば、本発明は近接場光学顕微鏡（ＳＮＯＭ）に適用されてよい。なお、本発明は、ＳＰＭ（例えばＡＦＭ）のメモリやＨＤＤなど（図示せず）に格納されたプログラムによって、実現されてもよい。
【００４２】
図６は、本発明による相互作用力の３次元計測技術の原理を示している。前出の図５の従来技術はフォースカーブ測定を応用する技術であり、測定点を移動しながらフォースカーブ測定を繰り返して、相互作用力の３次元分布を求めている。このような従来技術と異なり、図６の本発明は、従来のＡＦＭ観察技術を応用し、３次元計測技術へと拡張する。図６では、従来のＡＦＭ観察が左側に示されており、本発明のＡＦＭ観察が右側に示されている。
【００４３】
従来のＡＦＭ観察は、探針−試料間の相互作用力を一定に保つように探針位置をフィードバック制御する（探針位置の制御とは、探針と試料の相対位置の制御を意味する。実際のＡＦＭでは、試料を移動することにより探針位置が制御されてよい。本明細書において同じ）。この制御により、探針−試料距離が一定に保たれる。その結果、探針は、試料から一定距離だけ離れた「面」上で走査される。
【００４４】
本発明のＡＦＭ観察も、従来技術と同様のフィードバック制御を行う。従来技術との相違点として、本発明は、フィードバック制御を行いながら、探針−試料距離を変動させる制御を行う。この制御を、本発明では距離変調制御といい、そして、距離変調の周波数を距離変調周波数と呼ぶ。距離変調周波数は、フィードバック制御の応答速度より十分に速く設定される。より詳細には、距離変調周波数は、フィードバック制御の応答速度と、カンチレバーの共振周波数の間の適当な値である。たとえば、カンチレバーの共振周波数が１ｋＨｚ以上であるのに対して、距離変調周波数が２００Ｈｚ程度に設定される。また、距離変調の振幅は、微小な値（通常１ｎｍ以下）に好適に設定される。更に、距離変調制御では、探針−試料距離を正弦波状に変動させることが好適である。
【００４５】
本発明は、上記のフィードバック制御と距離変調制御を行うことにより、図６の右側に示されるようにＺ方向（垂直方向）に厚みを持った「空間」において探針を走査することができる。したがって、３次元空間における相互作用量の分布を検出することができる。
【００４６】
ここで、図６において、従来のＡＦＭ観察は、試料からの距離が一定の面の情報を得ており、２次元観察と呼ぶことができる。これに対して、本発明のＡＦＭ制御は、Ｚ方向の厚みを持った３次元空間の情報を得ており、３次元観察又は３次元計測と呼ぶことができる。
【００４７】
次に、本発明が適用されるＡＦＭの好適な例を説明する。ここでは、本発明が周波数変調型のＡＦＭ（ＦＭ−ＡＦＭ）に適用される。ただし、本発明はＦＭ−ＡＦＭに限定されない。本発明がＦＭ−ＡＦＭ以外のＡＦＭに適用されてよい。さらに、前出したように、本発明はＡＦＭ以外のＳＰＭに適用されてよい。
【００４８】
図７は、本実施の形態のＡＦＭを示している。ＦＭ−ＡＦＭでは、相互作用量がカンチレバーの共振周波数シフトΔｆ（共振周波数のシフト量）である。
【００４９】
概略的には、ＡＦＭ１は、カンチレバー３を共振周波数で機械的に振動させ、カンチレバー３を試料に近づけた際に生じる共振周波数シフトΔｆを検出し、共振周波数シフトΔｆを一定に保つように探針−試料距離をフィードバック制御する。
【００５０】
フィードバック制御では、探針−試料距離を制御するＺ走査のための走査信号ｚ０が生成される。この点は、従来のＡＦＭ観察技術と同様である。従来技術との主な違いとして、本実施の形態のＡＦＭ１は、フィードバック制御の応答速度より十分速い周波数を持つ距離変調信号ｚｍを生成する。距離変調信号ｚｍは固定正弦波信号である。距離変調信号ｚｍが走査信号ｚ０に加算されて、変調走査信号ｚが生成され、この変調走査信号ｚによって探針−試料間距離が制御される。距離変調信号ｚｍの加算により、探針のＺ位置が高速変調される。
【００５１】
このように、本発明では、試料表面の凹凸に応じて探針位置を調節するフィードバック制御の走査信号ｚ０が、探針位置を一定振幅の正弦波によりＺ方向に細かく変動させる距離変調信号ｚｍと加算される。探針は試料の凹凸に沿って移動しながら上下に細かく動き、その結果、図６に示した本発明の探針の動きが実現される。以下、図７のＡＦＭ１について、より詳細に説明する。
【００５２】
図７に示すように、ＡＦＭ１は、試料に近接して配置されるカンチレバー３と、試料を保持する試料ステージ５とを有する。また、通常のＦＭ−ＡＦＭと同様に、ＡＦＭ１は、スキャナ７、レバーアクチュエータ９、変位センサ１１、移相回路１３、アンプ１５、周波数シフト検出器１７、フィードバック回路１９及びＸＹ走査信号生成回路２１を有する。更に、ＡＦＭ１は、本発明に特徴的な構成として、距離変調信号生成回路２３及び信号加算部２５を有する。更に、ＡＦＭ１は、ＡＦＭ全体を制御するコンピュータ２７と、表示部２９とを有する。このコンピュータ２７には、本発明を実現するためのプログラムがインストールされていてもよい。
【００５３】
試料ステージ５は、スキャナ７に取り付けられている。スキャナ７は、アクチュエータとしてピエゾ素子（圧電素子）を有するピエゾスキャナであり、試料ステージ５をＸ、Ｙ、Ｚ方向に動かして、試料をカンチレバー３に対して相対的に走査する。ＸＹ方向は、水平面上で直交する方向である。Ｚ方向は鉛直方向であり、試料の凹凸方向（高さ方向）である。カンチレバー３は、シリコン製であり、自由端に探針（プローブ）を有している。カンチレバー３は、レバーアクチュエータ９により励振される。レバーアクチュエータ９は、ピエゾ素子で構成され、励振部として機能する。ただし、スキャナ７及び励振部９はピエゾアクチュエータに限定されない。たとえば、磁気又は光を用いた構成も走査及び励振に適用可能である。
【００５４】
変位センサ１１は、カンチレバー３の変位を検出する。典型的には、変位センサ１１は、レーザユニットと共に光てこ式の変位センサとして機能する。レーザ光は、レーザユニットから照射され、カンチレバー３で反射して変位センサ１１に到達する。変位センサ１１は、フォトダイオードで構成された分割ダイオードセンサであり、カンチレバー３の変位を表す変位信号を出力する。レーザ光の受光位置が変位信号として好適に検出される。変位信号は、移相回路１３及び周波数シフト検出器１７に入力される。図では、センサに関連したレンズ等の光学系の構成は省略されている。
【００５５】
移相回路１３は、変位センサ１１からの変位信号を処理して、カンチレバー３を共振周波数で振動させるための励振信号を生成する。カンチレバー３が共振周波数で振動するとき、励振信号と変位信号の位相差が９０度である。そこで、移相回路１３は、励振信号と変位信号の位相差が９０度になるように励振信号を生成する。この励振信号がアンプ１５で増幅されて、レバーアクチュエータ９に供給される。これにより、レバーアクチュエータ９はカンチレバー３を共振周波数で振動させる。
【００５６】
周波数シフト検出器１７は、変位センサ１１からの変位信号を処理して、共振周波数シフトΔｆを検出する。周波数シフト検出器１７は位相ロックループ（ＰＬＬ）回路で構成されてよい。周波数シフト検出器１７及び移相回路１３は、デジタルシグナルプロセッサ（ＤＳＰ）等のデジタル回路であってよい。
【００５７】
周波数シフト検出器１７は、本発明の相互作用検出部の一例である。そして、共振周波数シフトΔｆは探針試料間の相互作用力により生じ、相互作用力の大きさを表すパラメータであり、本発明の相互作用量の一例である。
【００５８】
共振周波数シフトΔｆは、周波数シフト検出器１７からフィードバック回路１９に供給される。フィードバック回路１９は、共振周波数シフトΔｆに基づいて、共振周波数シフトΔｆを一定に保つための走査信号ｚ０を生成する。フィードバック回路１９は、たとえばＰＩＤ回路で構成される。フィードバック回路１９は、本発明のフィードバック制御部に相当する。
【００５９】
ＸＹ走査信号生成回路２１は、カンチレバー３を試料に対してＸＹ方向に走査するための走査信号ｘ、ｙを生成する。ＸＹ走査信号生成回路２１は、走査信号ｘ、ｙをスキャナ７に供給し、これによりスキャナ７が試料ステージ５をＸＹ方向に移動する。
【００６０】
距離変調信号生成回路２３は、距離変調信号ｚｍを生成する。距離変調信号ｚｍは、フィードバック回路１９の応答速度よりも十分に速い周波数を有する正弦波信号である。距離変調周波数はたとえば２００Ｈｚ程度であり、カンチレバー３の共振周波数よりは大幅に小さい。また、距離変調信号ｚｍの振幅は非常に小さく、たとえば１ｎｍ以下である。距離変調信号生成回路２３は、波形生成回路により構成されてよい。距離変調信号生成回路２３は、本発明の距離変調制御部に相当する。
【００６１】
距離変調信号生成回路２３は、距離変調信号ｚｍを信号加算部２５に出力する。また、信号加算部２５には、フィードバック回路１９から走査信号ｚ０が入力される。信号加算部２５は、走査信号ｚ０と距離変調信号ｚｍを加算して、変調走査信号ｚを生成する。変調走査信号ｚがスキャナ７に供給され、スキャナ７は変調走査信号ｚに従って試料ステージ５をＺ方向に移動させる。
【００６２】
コンピュータ２７は、ＡＦＭ１の全体を制御する。コンピュータ２７は、たとえばパーソナルコンピュータであってよく、ＡＦＭ制御用のボードがコンピュータ２７に搭載されてよい。
【００６３】
コンピュータ２７は、ＸＹ走査信号生成回路２１を制御し、ＸＹ方向の走査を行わせる。また、コンピュータ２７は、フィードバック制御の目標値をフィードバック回路１９に供給する。また、コンピュータ２７は、距離変調信号生成回路２３を制御し、周波数及び振幅を指示して、距離変調信号ｚｍを生成させる。また、コンピュータ２７は、周波数シフト検出器１７に中心周波数ｆ０を供給する。中心周波数ｆ０は、カンチレバー３の自由振動の共振周波数、すなわち、カンチレバー３が試料から遠くに位置するときの共振周波数に相当する。中心周波数ｆ０は、共振周波数シフトΔｆの検出処理において基準値として用いられる。
【００６４】
また、コンピュータ２７には、フィードバック回路１９から走査信号ｚ０が入力される。コンピュータ２７は、走査信号ｚ０を処理して、試料の凹凸形状のデータを生成する。
【００６５】
また、コンピュータ２７には、周波数シフト検出器１７から共振周波数シフトΔｆが入力される。コンピュータ２７では、３次元分布検出部３１が、入力される共振周波数シフトΔｆのデータを処理することにより、３次元空間における共振周波数シフトの分布を検出する。３次元分布検出部３１は、３次元分布計測部又は単に３次元計測部と呼んでもよい。
【００６６】
また、コンピュータ２７には、分布データ処理部３３が設けられている。分布データ処理部３３は、３次元分布検出部３１により得られる３次元空間における共振周波数シフトの分布のデータを処理し、後述するように有用な情報を提供する。
【００６７】
コンピュータ２７は、上述のようにして得られる各種の測定結果の情報を表示部２９に出力する。また、コンピュータ２７は、ユーザインターフェース機能も提供し、ユーザの各種の指示がコンピュータ２７に入力され、コンピュータ２７はユーザの入力に従ってＡＦＭ１を制御する。
【００６８】
次に、ＡＦＭ１の全体的な動作を説明する。ＸＹ走査信号生成回路２１は、コンピュータ２７により制御されて、スキャナ７にＸＹ方向の走査を行わせる。ＸＹ方向の走査中、カンチレバー３の変位が変位センサ１１により検出され、変位信号が移相回路１３及び周波数シフト検出器１７に出力される。移相回路１３は、変位信号を処理して励振信号を生成し、アンプ１５を介してレバーアクチュエータ９に励振信号を供給することにより、カンチレバー３を共振周波数で振動させる。
【００６９】
また、周波数シフト検出器１７は、変位センサ１１からの変位信号を処理して、共振周波数シフトΔｆを検出し、フィードバック回路１９に供給する。フィードバック回路１９は、共振周波数シフトΔｆを一定に保つようにスキャナ７をＺ方向に駆動するための走査信号ｚ０を生成する。フィードバック回路１９は、コンピュータ２７から供給されるフィードバック目標値に共振周波数シフトΔｆを一致させるように動作する。
【００７０】
一方、距離変調信号生成回路２３は、コンピュータ２７の制御下で、距離変調信号ｚｍを生成する。信号加算部２５は、走査信号ｚ０と距離変調信号ｚｍを加算することにより、変調走査信号ｚを生成し、スキャナ７に出力する。スキャナ７は、変調走査信号ｚに従って試料ステージ５をＺ方向に駆動する。
【００７１】
このようにして、変調走査信号ｚによってＺ方向の走査を行いながら、ＸＹ方向の走査が行われる。すなわち、フィードバック制御と距離変調制御を行いながら、ＸＹ方向の走査が行われる。
【００７２】
フィードバック回路１９は、通常のＦＭ−ＡＦＭと同様に走査信号ｚ０をコンピュータ２７に供給する。走査信号ｚ０は、試料のＺ方向の高さに対応している。また、試料上のＸＹ方向の位置は、コンピュータ２７により制御されている。コンピュータ２７は、ＸＹ走査の制御データと、入力される走査信号ｚ０とに基づいて、試料表面の画像を生成して表示部２９に表示する。
【００７３】
また、周波数シフト検出器１７は、共振周波数シフトΔｆのデータをコンピュータ２７に供給する。上記のように、本実施の形態では、フィードバック制御の過程で、探針−試料距離が距離変調信号ｚｍに従って変動する。３次元分布検出部３１は、距離変動過程で逐次得られる共振周波数シフトΔｆを蓄積及び記録する。ＸＹ方向の走査を行いながらＺ方向の距離変動範囲の共振周波数シフトΔｆを蓄積及び記録することにより、３次元空間における共振周波数シフトΔｆの分布を得ることができる。分布データ処理部３３は、３次元分布検出部３１により得られる３次元空間における共振周波数シフトの分布のデータを処理する。表示部２９はディスプレイ装置であり、３次元分布のデータ及び分布データ処理部３３により生成されるデータを表示する。
【００７４】
以上に本実施の形態のＡＦＭ１の動作の概要を説明した。次に、本実施の形態のＡＦＭ１について更なる詳細を説明する。
【００７５】
図８は、従来の通常のＡＦＭ観察（左側）と、本発明の３次元ＡＦＭ観察（右側）のｘｙｚ走査信号の変化を模式的に示している。従来の通常のＡＦＭ観察では、三角波がＸ方向の走査信号ｘとして入力される。走査信号ｙは、Ｙ方向の位置を少しずつ動かすランプ信号である。そして、ＸＹ走査の間、走査信号ｚ０が表面の凹凸に応じて変化する。走査信号ｚ０がｘｙ座標に対して記録され、これにより表面の凹凸像を得ることができる。
【００７６】
一方、本発明の３次元観察（図８右側）では、距離変調信号ｚｍが入力され、探針は常にＺ方向に正弦波状に走査される。ただし、Ｚ走査の平均位置は、フィードバック信号である走査信号ｚ０により制御される。このようなＺ方向の制御により、距離変調信号ｚｍの振幅の範囲で共振周波数シフトΔｆが検出される。すなわち、ＸＹ方向の走査範囲内で、Ｚ方向に厚みを持った空間にて、共振周波数シフトΔｆが検出される。共振周波数シフトΔｆはｘｙｚ座標に対して記録される。こうして、共振周波数シフトΔｆの３次元分布を計測できる。
【００７７】
ここで、距離変調信号ｚｍとして、三角波を用いることも可能である。しかし、三角波を用いた場合には、Ｚ方向に大きな撃力が発生し、試料（または探針）を走査するスキャナの共振振動を励起してしまう可能性があり、観察像にひずみが生じるなどの問題が生じる可能性がある。したがって、正弦波を用いる方がよい。
【００７８】
また、本実施の形態では、探針のＸＹ位置は、通常のＡＦＭ観察時と同様に表面上を水平方向に走査される。ただし、図示のように、通常のＡＦＭ観察の走査信号ｘが三角波であるのに対して、本実施の形態の走査信号ｘは「のこぎり波」である。本実施の形態の３次元計測は、共振周波数シフトの検出をＺ方向に幅を持つ変調範囲内で行っている。そのため、Ｘ方向の走査速度は、Ｚ方向の走査速度より十分に遅く設定される。この場合、Ｘ方向の往復過程で検出を行う必要がない。往復時に生じるスキャナのヒステリシスにより、往路と復路が一致しない可能性も考慮すると、一方向に進むときにのみ検出が好適に行われる。この場合、のこぎり波を用いることにより、復路の時間を短縮でき、画像取得速度を向上できる。したがって、三角波よりものこぎり波を用いる方が実用的である。
【００７９】
図９は、本実施の形態による３次元計測時の距離変調信号ｚｍと共振周波数シフトΔｆの検出信号の時間変化の一例を示す。図示のように、探針−試料距離が小さいときに、共振周波数Δｆが大きく変化している。本実施の形態では、距離変調信号ｚｍとして正弦波を用いるので、試料へ最も近接する位置でのＺ走査速度が遅くなる。したがって、共振周波数シフトΔｆが急激に変化するときに、より多くの情報が得られる。この点でも、正弦波が好適に用いられる。
【００８０】
３次元計測の分布データは、図９のデータをＸＹ方向の走査データと共に処理することにより得られる。この処理は既に述べたようにコンピュータ２７の３次元分布検出部３１により行われる。縦軸が距離変調信号ｚｍに設定され、横軸が走査信号ｘに設定され、共振周波数シフトΔｆが記録される。これにより、Ｘ方向への１ラインの走査で、ＸＺ像が得られる。ここで、表面の凹凸によるＺ方向位置の変化は、走査信号ｚ０に含まれ、ＸＺ像には含まれない。したがって、ＸＺ像は、表面のＺ方向の相互作用力の変化を反映したものとなり、試料表面近傍の微細な力場変化を画像化するのに非常に都合がよい。たとえば、試料の表面に１０ｎｍ以上の大きな凹凸があったとする。このような場合、従来技術では、画像中でピコメートルオーダーの凹凸を視認性よく表現することは困難である。しかし、本発明の３次元計測技術を用いれば、試料表面の大きな凹凸にかかわらず、微細な力場分布を可視化できる。そして、ピコメートルオーダーの凹凸も表現可能である。
【００８１】
好ましくは、Ｘ方向への１ラインの走査で、探針が試料に近づくときの相互作用量を記録した一つのＸＺ像と、探針が試料から遠ざかるときの相互作用量を記録した一つのＸＺ像が得られる。これらの二つのＸＺ像の距離変調周波数が、その距離変調によって生じる相互作用量の変化よりも高速な場合には、それら二つのＸＺ像が一致しない。そこで、それら二つのＸＺ像の差異から、探針試料間の相互作用ポテンシャルの動力学的物性を知ることができる。たとえば、水和層の場合は、水の粘性や拡散速度に依存してこのような行きと帰りの非対称性が生じると考えられ、したがって二つのＸＺ像から動力学的物性を知ることができると考えられる。一方、距離変調周波数が十分低速な場合には、上記二つのＸＺ像は一致する。以下では、その場合を仮定して、一つのＸＺ像が得られるものとして説明する。
【００８２】
上述のようにしてＸ方向の走査ライン毎にＸＺ像が得られ、更に、ＸＺ像が、走査信号ｙに対して記録される。これにより、３次元空間にて共振周波数シフトを記録でき、共振周波数シフトの３次元の像を得ることができる。
【００８３】
共振周波数シフトΔｆの値は、相互作用力に起因して生じており、実際定量的な相互作用力の値に変換することも可能である。したがって、試料表面近傍の力分布の３次元計測を行うことが可能となる。
【００８４】
なお、上記の図８及び図９を用いた説明では、Ｘ方向の走査が、Ｙ位置をずらしながら繰り返された。しかし、Ｘ方向とＹ方向の走査が入れ替えられてよいことはもちろんである。図８の走査信号ｘ、ｙも入れ替えられてよい。
【００８５】
「ドリフトキャンセル」
次に、本発明のＳＰＭに好適に組み込まれるドリフトキャンセル機能を説明する。このドリフトキャンセル機能は、本発明の３次元計測技術を活用して、相互作用量のドリフトをキャンセルする。ここでは、ドリフトキャンセル機能が、これまで説明してきたＦＭ−ＡＦＭに組み込まれ、共振周波数シフトのドリフトをキャンセルする。
【００８６】
液中観察時には、液中に存在する粒子がカンチレバーに付着したり、あるいは、温度が変動するために、カンチレバーの共振周波数がドリフトし、共振周波数シフトもドリフトすることがある。共振周波数シフトを一定に保つ従来のフィードバックが適用された状態では、共振周波数のドリフトに気づかない。その結果、大きな相互作用力が試料に対して加えられたり、あるいは、探針−試料距離が一定に保たれず、データの信頼性が損なわれる可能性がある。
【００８７】
本発明のドリフトキャンセル機能は、上記の問題を解決することができる。図９を参照すると、探針が試料から遠くに位置するときは、相互作用力が小さく、共振周波数シフトも小さい。しかし、共振周波数シフトのドリフトが生じると、探針が試料から離れたときにも共振周波数シフトが検出される。本発明の３次元計測データを利用することにより、探針が試料から離れたときの共振周波数シフトをイメージング中に監視することができる。そして、共振周波数シフトのドリフトをリアルタイムにキャンセルすることができ、データの信頼性を向上できる。
【００８８】
図１０は、上記のドリフトキャンセル機能を備えたＡＦＭを示している。図１０のＡＦＭ５１は、図７のＡＦＭ１と同様の構成を有する。さらに、図１０のＡＦＭ５１には、ドリフト監視部５３及び加算部５５が設けられている。以下に説明するように、ドリフト監視部５３が共振周波数シフトのドリフトを監視し、そして加算部５５にてドリフトがキャンセルされる。
【００８９】
ドリフト監視部５３には、周波数シフト検出器１７から共振周波数シフトΔｆの検出信号が入力され、また、距離変調信号生成回路２３から距離変調信号ｚｍが入力される。ドリフト監視部５３は、所定のドリフト監視位置にて検出される共振周波数シフトΔｆを監視する。ドリフト監視位置は、距離変調制御による探針−試料距離の変動範囲内であって、探針−試料距離が増大する位置に定められている。本実施の形態では、ドリフト監視位置は、図９の正弦波上でｚｍが最大になる位置に好適に設定され、ドリフト監視部５３は、ｚｍが最大になるときの共振周波数シフトΔｆを取得する。
【００９０】
ドリフト監視部５３はサンプルホールド回路で構成されてよい。ドリフト監視部５３は、距離変調制御部２３から入力される距離変調信号ｚｍに基づき、ドリフト監視位置に対応するドリフト監視タイミングでサンプルホールドのトリガーを生成する。上記の例では、ドリフト監視タイミングは、ｚｍが最大になるタイミングであり、正弦波の頂点である。これにより、ドリフト監視タイミングで共振周波数シフトΔｆが取得される。
【００９１】
ドリフト監視位置（ドリフト監視タイミング）の共振周波数シフトΔｆは、共振周波数シフトのドリフト量δｆ０として、加算部５５に出力される。加算部５５には、コンピュータ２７から中心周波数ｆ０が入力される。加算部５５は、中心周波数ｆ０にドリフト量δｆ０を加算する。加算後の中心周波数ｆ０’が周波数シフト検出器１７に供給される。これにより、共振周波数シフトΔｆのドリフトがキャンセルされる。
【００９２】
上記のドリフトキャンセルの仕組みをより詳細に説明する。中心周波数ｆ０は、カンチレバー３の自由振動の共振周波数である。周波数シフト検出器１７は基準値として用いて、減算を行って共振周波数シフトΔｆを検出する。したがって、カンチレバー３が自由振動状態にあるとき、すなわち、カンチレバー３が試料から遠く離れているときは、共振周波数シフトΔｆが０となる。
【００９３】
ドリフト監視位置では、カンチレバー３が試料から離れる。したがって、ドリフトが生じていなければ、ドリフト監視位置の共振周波数シフトΔはほぼ０になるはずである。しかしながら、ドリフトが生じると、ドリフト監視位置で共振周波数シフトΔｆが検出される。したがって、ドリフト監視位置の共振周波数シフトΔｆは、ドリフト量δｆ０として利用可能である。
【００９４】
ドリフト量δｆ０は、周波数シフト検出器１７の前段にて、加算部５５により中心周波数ｆ０に加算される。したがって、共振周波数シフトΔｆの検出結果は、ドリフト量δｆ０が減算された値になる。こうしてドリフトキャンセルが実現される。
【００９５】
上記のように、図１０の構成では、ドリフト監視部５３が、所定のドリフト監視位置にて検出される相互作用量（共振周波数シフト）をドリフトの指標として監視しており、本発明のドリフト監視部として機能している。また、加算部５５は、ドリフト監視部５３により監視されるドリフト監視位置での相互作用量（共振周波数シフト）に基づいてドリフトをキャンセルしており、本発明のドリフトキャンセル部として機能している。そして、このような構成により、計測中にリアルタイムにドリフトキャンセルを行うことができ、データの信頼性を向上できる。
【００９６】
なお、本発明の範囲内で、ドリフト監視部及びドリフトキャンセル部は上記構成に限定されず、適当に変形されてよい。例えば、加算部５５は、ドリフトキャンセルを、相互作用検出部である周波数シフト検出器１７の入力側にて行っている。しかし、ドリフトキャンセルは他の段階で行われてもよい。例えば、ドリフトキャンセルは、相互作用量の検出後に行われてもよい。
【００９７】
「観察例」
次に、本実施の形態のＡＦＭ１による観察例を説明する。ここでは、分布データ処理部３３による３次元計測データの好適な加工の例も説明される。
【００９８】
この観察例では、試料がマイカである。そして、リン酸緩衝生理食塩水とマイカの界面における３次元力分布計測の結果を示す。
【００９９】
マイカは図１１に示すような結晶構造を持っている。アルミニウム、シリコン、酸素、ＯＨ基がシートを形成しており、そして、複数のシートが静電気力によりカリウムイオンを介して積層されている。これらの層間は静電気力で結合されており、容易にへき開することができる。マイカのへき開表面は、図１１に示すように、ハニカム状のメッシュ構造を有している。
【０１００】
このマイカのへき開表面上にリン酸緩衝生理食塩水を滴下し、その固液界面において３次元周波数シフト像を取得した。観察条件を以下に示す。
(1)  イメージサイズ：64×64×256  pixels  in  XYZ
(2)  走査範囲：4×4×1  nm  (ドリフト補正前)
(3)  走査速度：53  sec/3D  xyz  image,
0.82  sec/2D  xz  image,
5  ms/  1D  z  profile
【０１０１】
ここで、走査範囲において、１ｎｍは、距離変調の振幅である。また、上記のように、走査範囲は、ＸＹ走査中におけるＸ方向の試料のドリフト補正の前の範囲である。このドリフトは、以降の測定結果の処理にて補正される。
【０１０２】
３次元空間内で得た周波数シフトデータは、任意の平面でスライスして表示することが可能である。たとえば、図１２では、周波数シフトデータがＸＹ平面でスライスされている。図１２のデータは、探針のＺ位置に対する依存性を示している。
【０１０３】
図１２では、原子スケールの分解能が得られているのがわかる。特に、最も近接した位置Ｚ＝０．０ｎｍにおけるＸＹ像では、２つの隣り合うＳｉ原子に相当する凸構造のペアが、周期的に観察されている（Ｚ＝０．０ｎｍは変調範囲の最下点である。測定データのＺ位置は、絶対的な位置ではなく、変調範囲内の位置である）。
【０１０４】
さらに、図１２は、各ＸＹ面における周波数シフト量の平均値を探針のＺ位置に対してプロットした周波数シフト距離曲線を示している。このデータは、斥力のピークをＺ＝０．２ｎｍ付近に有している。このピークは、固液界面に形成された水和層を貫くときに生じる斥力のピークに相当する。このような斥力のピークが図１２のデータにより明確に確認できる。
【０１０５】
次に、図１３は、３次元周波数シフトデータをマイカのＸＺ平面でスライスした像を示している。スライスのＹ位置は、マイカのへき開表面のモデル図上に、番号（１）、（２）、（３）を付して示されている。このＸＺイメージによっても、隣り合うＳｉ原子に相当する２つのピークが明瞭に観察されているのがわかる（画像（３）内の矢印のペア）。
【０１０６】
また、それらのピークの中間点にて明るいコントラスト（斥力）が観察されている。この中間点は、ハニカム状のメッシュ構造のくぼみ部分中央に相当する。このような斥力は、従来のＸＹイメージングでは観察されたことのない構造であり、本発明の技術を用いてはじめて観察可能となった。従来のＸＹイメージングでは、図のＸＺイメージ中で黒いコントラストで表されている強い引力の働くＸＹ位置で探針が吸着してしまう。そのため、探針のＺ方向位置を十分な精度で制御することは困難であった。一方、本発明では、局所的に不安定点があっても、他のＸＹ位置においては安定に探針位置を制御し、周波数シフト量を測定することが可能である。その結果として、通常のイメージングでは観察不可能な構造を可視化することができた。
【０１０７】
また、図１４に示すように、３次元周波数シフトデータからは、各ＸＹ位置でのＺ方向の周波数シフト変化を表す周波数シフト距離曲線を抽出することができる。図１４の例は、4つのＸＹ位置におけるＺ方向の周波数シフトプロファイル（周波数シフト距離曲線）を示している。これらの曲線から、マイカ表面上では、周波数シフト距離曲線の形状が原子スケールの位置に依存して大きく異なることがわかる。たとえば、Ｓｉ原子の直上で計測されたプロファイルでは、原子近傍で強い斥力が示されている。一方、Ｓｉ原子の中間の酸素原子の上で計測されたプロファイルでは、原子近傍で弱い斥力が示されている。このような測定を精度良く液中環境下で行った例はこれまでにない。このような測定は、本発明の技術を用いることにより、世界で初めて可能になった。
【０１０８】
次に、本発明の範囲内の変形例について説明する。上記の実施の形態では、本発明がＡＦＭに適用された。しかし、既に説明したように、本発明は、ＡＦＭに限定されない。本発明は、ＡＦＭ以外のＳＰＭに適用されてよい。たとえば、本発明は、ＳＴＭ又はＳＮＯＭに適用されてよい。図１及び図２を用いて説明したように、ＳＴＭでは、探針−試料距離に対してトンネル電流が単調に変化するので、制御は比較的安定している。しかし、３次元計測については、改良が望まれる。本発明によれば、ＳＴＭにおいても、安定した制御を行いつつ、３次元空間のトンネル電流の分布を好適に計測できる。
【０１０９】
また、本発明がＡＦＭに適用される場合において、本発明はＦＭ−ＡＦＭに限定されない。ＡＦＭの種類に応じて、カンチレバーの変位量、振動振幅変化量、位相変化量、振動周波数変化量などが、探針−試料間の相互作用量として用いられる。たとえば、本発明が、ＡＭ−ＡＦＭに適用されてよく、この場合、変位センサの検出信号から振動振幅が検出される。また、本発明がＰＭ−ＡＦＭに適用されてよく、この場合、変位センサの検出信号から位相差が検出される。
【０１１０】
ただし、本発明の効果は、ＦＭ−ＡＦＭにおいて非常に顕著に得られる。図１１〜図１４の観察例では、非常に高い分解能のデータが得られている。このような高い分解能はＦＭ−ＡＦＭで好適に実現される。すなわち、本発明は、ＦＭ−ＡＦＭの高い分解能を活かし、３次元の新たな観察を可能にできる。
【０１１１】
また、コンタクトモードのＡＦＭでは、比較的柔らかいカンチレバーが用いられる。この場合、探針を試料に近づけると、試料に吸着してしまう。これに対して、ＦＭ−ＡＦＭでは、探針を試料に近づけることができる。したがって、ＦＭ−ＡＦＭは、図１１〜図１４を用いて説明したような表面の微細構造の測定に適しており、本発明の効果を顕著に得られる。
【０１１２】
次に、距離変調制御の変形例を説明する。上記の実施の形態では、距離変調信号ｚｍがスキャナのフィードバック制御の走査信号ｚ０に加算され、これにより走査信号ｚ０が変調された。この構成は、距離変調制御を試料（スキャナ）に対して行っており、簡単な構成で距離変調制御を実現できるので有利である。しかし、本発明の範囲内で、距離変調制御は探針に対して行われてもよい。上記の実施の形態はＡＦＭであり、探針がカンチレバーに設けられている。したがって、カンチレバーに対して距離変調制御が行われ、カンチレバーが距離変調周波数で駆動されてよい。具体的には、カンチレバーの励振信号に、距離変調信号が加算されてよい。この場合、カンチレバーの共振周波数より距離変調周波数が小さいので、励振信号は、小さい周波数の信号と加算される。また別の例では、カンチレバーを距離変調周波数で駆動するために、別のアクチュエータが設けられてよい。距離変調の振幅は非常に小さいので、別のアクチュエータは通常のスキャナと比べて小型でよい。このようにして、探針を距離変調周波数で駆動することによっても、本発明の３次元計測を実現できる。
【０１１３】
以上に本発明のＳＰＭについて説明した。次に、本発明の各種の利点についてまとめて説明する。
【０１１４】
上記のように、本発明によれば、フィードバック制御を行いながら、距離変調制御が行われる。距離変調制御は、探針−試料距離をフィードバック制御の応答速度より速い距離変調周波数にて変動させる。本発明によれば、フィードバック制御により、安定な位置制御が確保される。更に、距離変調制御を行うことにより、上記のように、３次元空間における相互作用量の分布を検出することができる。すなわち、本発明は、走査範囲内の広さと探針−試料距離の変動範囲内の厚みを有する３次元空間における相互作用量の分布を検出することができる。こうして、安定した探針位置制御を行いながら、３次元空間における探針試料間の相互作用の分布を好適に計測できる技術を提供することができる。
【０１１５】
また、上述したように、本発明において、距離変調制御は、時間軸に対する探針−試料距離を正弦波に沿って変動させてよい。図８を用いて説明したように、正弦波を用いることにより、距離変調制御にて大きな撃力が生じるのを防ぐことができる。また、図９を用いて説明したように、正弦波を用いることにより、探針−試料距離が小さくなって相互作用量が増大するときに、距離変化が遅くなり、より多くの検出信号を得ることができる。
【０１１６】
また、上記の実施の形態では、フィードバック制御によって、スキャナを駆動するための駆動信号が生成され、距離変調制御により、距離変調周波数を有する距離変調信号が生成される。そして、距離変調信号が駆動信号に加算される。この構成は、フィードバック制御の駆動信号を変調しており、簡単な構成で探針−試料距離の変調を実現できる。
【０１１７】
また、本発明では、距離変調制御により探針が試料に近づくときの相互作用量の分布と、距離変調制御により探針が試料から遠ざかるときの相互作用量の分布とを別々に取得してよい。上記の例では、Ｘ方向への走査で、探針が試料に近づくときの相互作用量を記録した一つのＸＺ像と、探針が試料から遠ざかるときの相互作用量を記録した一つのＸＺ像が取得された。これらの二つのＸＺ像の距離変調周波数が、その距離変調によって生じる相互作用量の変化よりも高速な場合には、それら二つのＸＺ像が一致しない。そこで、本発明の走査型プローブ顕微鏡では、上記の二つの分布（像）が比較され、それらの差異から探針試料間の相互作用ポテンシャルの動力学的物性を好適に知ることができる。
【０１１８】
また、本発明は上記のようにＡＦＭに好適に適用される。これにより、安定した探針位置制御を行いながら、３次元空間における探針試料間の相互作用の分布を好適に計測できるという本発明の効果を顕著に得られる。
【０１１９】
本発明は特にＦＭ−ＡＦＭに好適に適用される。これにより、図１１〜図１４を用いて説明したように高い分解能を有する有用な観察結果を得ることができ、本発明の効果を顕著に得られる。
【０１２０】
また、本発明では、ＳＰＭが、距離変調制御による探針−試料距離の変動範囲内に定められており探針−試料距離が増大する所定のドリフト監視位置にて検出される相互作用量を監視し、監視される相互作用量に基づいて相互作用量のドリフトをキャンセルする。この構成は、図１０のＡＦＭ５１のドリフトキャンセル機能に相当する。このようにして、本発明の３次元計測データを利用して相互作用量のドリフトをキャンセルすることにより、データの信頼性を更に向上できる。
【０１２１】
また、本発明のＳＰＭは、３次元計測により得られる３次元空間における相互作用量の分布のデータを更に処理する。このデータ処理は、上記の実施の形態ではコンピュータの分布データ処理部により行われる。このデータ処理により、観察のための有用な情報が得られる。
【０１２２】
たとえば、分布データ処理部は、図１２に示されるように、探針−試料距離が一定である面上での相互作用量の分布を求めてよい。図１２では、互いに距離が異なる複数の面の分布が観察された。
【０１２３】
また、分布データ処理部は、図１２に示されるように、探針−試料距離が異なる複数の面の各々における相互作用量の複数の代表値を求めて、探針を試料に近づけたときの代表値の変化を求める。この構成により、相互作用量−距離曲線（プロファイル）が得られる。このデータは、図１２の周波数シフト距離曲線に相当する。代表値は図１２では平均値であったが、平均値以外の値も使用されてよい。
【０１２４】
また、分布データ処理部は、図１３に示されるように、試料表面に交差する面で３次元空間を切断したときの切断面上での相互作用量の分布を求めてよい。図１３では、試料表面に垂直な面の像が観察された。
【０１２５】
また、分布データ処理部は、図１４に示されるように、試料上の異なる複数の位置で、試料の表面に交差する線に沿った相互作用量の変化を求めてよい。図１４では、試料表面に垂直な線に沿った相互作用量−距離曲線が得られた。
【０１２６】
このように、本発明の３次元計測データを処理することで有用な観察情報が得られる。そして、本発明は、図１１〜図１４を用いて説明したように、これまで不可能であった観察も実現できる。
【０１２７】
本発明のさらなる長所を説明する。本発明は、フィードバック制御を行いつつ、距離変調制御を行っている。これにより、試料表面の極近傍の３次元の力場計測が、試料表面の凹凸にかかわらず可能である。したがって、試料表面に大きな凹凸があっても、探針や試料の損傷を防止できる。
【０１２８】
また、従来、凹凸の大きな表面の微細な構造を観察したり、可視化したりすることは困難だった。しかし、本発明は、フィードバック制御にて試料の凹凸に沿って探針を移動しながら、距離変調により微細構造を観察できる。したがって、凹凸の大きな表面の微細な構造を観察し、可視化できる（たとえば前出の図１２、図１３）。
【０１２９】
また、従来技術は、図５に示したように、フォースカーブ測定技術を拡張した３次元計測を行っていた。このような従来技術に比べ、本発明では、計測時の無駄時間が少なく、記録方式が単純である。これにより、高速化が容易に実現でき、実用的な速度で３次元計測が可能である。たとえば、従来技術は、計測に１日以上かかることがある。これに対して、上記の観察例では、計測が１分以内で行われている。
【０１３０】
また、本発明の３次元イメージングは、探針のＺ位置を一定振幅の固定信号で変調して、それに対する周波数シフトの応答を記録している。この記録処理は、探針の平均位置を制御しているフィードバック制御とは独立であるため、フィードバックノイズを含まない。したがって、信号対雑音比が通常のＸＹイメージングよりも高い。
【０１３１】
また、本発明は、距離変調制御を行うので、試料上の各点で必ず探針−試料距離がＺ方向に増減する（探針位置が上下する）。したがって、探針の吸着が局所的に起きるＸＹ位置があったとしても、他の測定点に吸着の影響が及ばない。したがって、従来のXYイメージングでは見ることのできなかった構造が、探針のＸＹ走査の影響を受けずにイメージングできる（たとえば前出の図１３）。
【０１３２】
以上に本発明の好適な実施の形態を説明した。しかし、本発明は上述の実施の形態に限定されず、当業者が本発明の範囲内で上述の実施の形態を変形可能なことはもちろんである。
【０１３３】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１３４】
以上のように、本発明にかかるＳＰＭは、安定した探針位置制御を行いながら、３次元空間における探針試料間の相互作用の分布を好適に計測でき、たとえば、液中の試料の観察技術として非常に有用である。
【符号の説明】
【０１３５】
１、５１  ＡＦＭ
３  カンチレバー
５  試料ステージ
７  スキャナ
９  レバーアクチュエータ
１１  変位センサ
１３  移相回路
１５  アンプ
１７  周波数シフト検出器
１９  フィードバック回路
２１  ＸＹ走査信号生成回路
２３  距離変調信号生成回路
２５  信号加算部
２７  コンピュータ
２９  表示部
３１  ３次元分布検出部
３３  分布データ処理部
５３  ドリフト監視部
５５  加算部
【図１】
2010087114.tif 000003
【図２】
2010087114.tif 000004
【図３】
2010087114.tif 000005
【図４】
2010087114.tif 000006
【図５】
2010087114.tif 000007
【図６】
2010087114.tif 000008
【図７】
2010087114.tif 000009
【図８】
2010087114.tif 000010
【図９】
2010087114.tif 000011
【図１０】
2010087114.tif 000012
【図１１】
2010087114.tif 000013
【図１２】
2010087114.tif 000014
【図１３】
2010087114.tif 000015
【図１４】
2010087114.tif 000016
【国際調査報告】
2010087114.tif 000017
2010087114.tif 000018
2010087114.tif 000019
2010087114.tif 000020